(57)【要約】【課題】電気掃除機のメンテナンス時に集塵装置を効率よく清掃すること。【解決手段】基端と先端とを有する細長い入力軸と、基端と先端とを有する細長い複数の出力軸と、前記入力軸と出力軸を軸中心に回転可能に支持する支持部材と、前記入力軸の基端に設けられた駆動ギアと、前記複数の出力軸の各基端に設けられ前記駆動ギアと噛み合う従動ギアと、前記入力軸の先端に設けられた手動ハンドルと、前記複数の出力軸の各先端に設けられた回転ブラシとを備える電気掃除機用クリーニング装置。【選択図】図５
2018050770.tif 000002
【特許請求の範囲】
【請求項１】
基端と先端とを有する細長い入力軸と、基端と先端とを有する細長い複数の出力軸と、前記入力軸と出力軸を軸中心に回転可能に支持する支持部材と、前記入力軸の基端に設けられた駆動ギアと、前記複数の出力軸の各基端に設けられ前記駆動ギアと噛み合う従動ギアと、前記入力軸の先端に設けられた手動ハンドルと、前記複数の出力軸の各先端に設けられた回転ブラシとを備える電気掃除機用クリーニング装置。
【請求項２】
前記入力軸と出力軸は、互いに平行に前記支持部材に支持される請求項１記載の電気掃除機用クリーニング装置。
【請求項３】
前記従動ギアは、前記駆動ギアの周りを公転しながら自転する遊星ギアとして機能するように前記支持部材に支持される請求項１又は２記載の電気掃除機用クリーニング装置。
【請求項４】
前記回転ブラシは、前記出力軸の各先端に交換可能に設けられる請求項１〜３のいずれか１つに記載の電気掃除機用クリーニング装置。
【請求項５】
前記回転ブラシは、細長い回転軸と、前記回転軸から放射状に延びるブラシ材とを備え、前記ブラシ材が前記回転軸を中心にらせん状に配列されてなる請求項１〜４のいずれか１つに記載の電気掃除機用クリーニング装置。
【発明の詳細な説明】
【技術分野】
【０００１】
本発明は、電気掃除機用クリーニング装置に関し、さらに詳しくはサイクロン式電気掃除機のクリーニング装置に関する。
【背景技術】
【０００２】
この発明の背景技術としては、第１遠心分離部によって分離された粗塵と、第２遠心分離部によって分離された細塵とを一緒に収集するサイクロン方式の集塵容器を備え、その集塵容器が、粗塵を集塵する第１集塵室と、細塵を集塵する第２集塵室とに区分され、かつ、第２集塵室の壁面の一部が、第１集塵室の外周面からなるように構成されたサイクロン式電気掃除機が知られている（例えば、特許文献１参照）。
【先行技術文献】
【特許文献】
【０００３】
【特許文献１】特開２０１５−１６３１４３号公報
【発明の概要】
【発明が解決しようとする課題】
【０００４】
しかしながら、従来のこのようなサイクロン式電気掃除機においては、集塵容器が第１および第２集塵室を備えて構造が複雑であるため、集塵容器の内壁に付着した粉塵を作業者がメンテナンス時に除去することが容易でないという問題があった。
【０００５】
この発明は、このような事情を考慮してなされたものであり、サイクロン方式の集塵容器の内壁に付着した粉塵を容易に除去することが可能なクリーニング装置を提供するものである。
【課題を解決するための手段】
【０００６】
この発明は、基端と先端とを有する細長い入力軸と、基端と先端とを有する細長い複数の出力軸と、前記入力軸と出力軸を軸中心に回転可能に支持する支持部材と、前記入力軸の基端に設けられた駆動ギアと、前記複数の出力軸の各基端に設けられ前記駆動ギアと噛み合う従動ギアと、前記入力軸の先端に設けられた手動ハンドルと、前記複数の出力軸の各先端に設けられた回転ブラシとを備える電気掃除機用クリーニング装置を提供するものである。
【発明の効果】
【０００７】
この発明によれば、集塵容器内に複数の回転ブラシを挿入し、手動ハンドルを操作することにより複数の回転ブラシが同時に回転しながら集塵容器の内壁に接触するので、集塵容器の内壁に付着した粉塵を効率よく除去することができる。
【図面の簡単な説明】
【０００８】
【図１】この発明の実施形態１に係る電気掃除機の掃除機本体を示す斜視図である。
【図２】図１に示された掃除機本体の内部構造を示す縦断面図である。
【図３】図２に示された掃除機本体における集塵装置の内部構造を示す断面図である。
【図４】この発明の実施形態１のクリーニング装置の上面図である。
【図５】図４に示すクリーニング装置の側面図である。
【図６】図５に示すクリーニング装置のギアボックスの縦断面図である。
【図７】図６のＡ−Ａ矢視断面図である。
【図８】図６のＢ−Ｂ矢視断面図である。
【図９】実施形態１のクリーニング装置の使用状況を示す説明図である。
【図１０】この発明の実施形態２のクリーニング装置の図５対応図である。
【図１１】図１０に示すクリーニング装置のギアボックスの図６対応図である。
【図１２】実施形態２のクリーニング装置の使用状況を示す図９対応図である。
【図１３】この発明のクリーニング装置の回転ブラシを示す斜視図である。
【発明を実施するための形態】
【０００９】
この発明の電気掃除機用クリーニング装置は、基端と先端とを有する細長い入力軸と、基端と先端とを有する細長い複数の出力軸と、前記入力軸と出力軸を軸中心に回転可能に支持する支持部材と、前記入力軸の基端に設けられた駆動ギアと、前記複数の出力軸の各基端に設けられ前記駆動ギアと噛み合う従動ギアと、前記入力軸の先端に設けられた手動ハンドルと、前記複数の出力軸の各先端に設けられた回転ブラシとを備えることを特徴とする。
【００１０】
前記入力軸と出力軸は、互いに平行に前記支持部材に支持されることが好ましい。
前記従動ギアは、前記駆動ギアの周りを公転しながら自転する遊星ギアとして機能するように前記支持部材に支持されてもよい。
前記回転ブラシは、前記出力軸の各先端に交換可能に設けられることが好ましい。
前記回転ブラシは、細長い回転軸と、前記回転軸から放射状に延びるブラシ材とを備え、前記ブラシ材が前記回転軸を中心にらせん状に配列されてもよい。
【００１１】
以下、図面に示す実施形態に基づいてこの発明を詳述する。この実施形態によってこの発明が限定されるものではない。
（実施形態１）
〈クリーニング装置が清掃の対象とする電気掃除機の例〉
図１はこの発明のクリーニング装置が適用可能な電気掃除機の掃除機本体を示す斜視図、図２は図１に示された掃除機本体の内部構造を示す縦断面図、図３は図２に示された掃除機本体における集塵装置の内部構造を示す断面図である。
【００１２】
この電気掃除機は、掃除機本体１の他、可撓性ホース、操作ハンドル、延長パイプ、吸込口体等を備えた構成になっている。
【００１３】
図１〜図３に示すように、掃除機本体１は、サイクロン式の集塵装置１００、左右一対の車輪２００ａ、前輪２００ｂおよび後輪２００ｃを有する駆動装置２００を備えている。
【００１４】
駆動装置２００は、筐体に設けられた接続部２０１およびハンドル２００ｄと、外部排気口２０２と、電動送風機２０３とを備えている。
また、駆動装置２００には、集塵装置１００を載置する載置部２０５が設けられると共に、可撓性ホースと接続される接続部２０１が載置部２０５から突出している。
載置部２０５は、有底筒形で、その底面には、突出部２０６が設けられている。
【００１５】
また、駆動装置２００は、吸気口２０４と、シール部材２０４ａが設けられている。
この掃除機本体１では、接続部２０１が集塵装置１００の流入口１１３と連通し、吸気口２０４が集塵装置１００の排出口１３４と連通する。
【００１６】
この電気掃除機では、電動送風機２０３によって、吸入口体から吸引された空気は、図２に示すように、接続部２０１から流入口１１３へ導入される。吸い込まれた空気は、遠心分離により塵埃が除去された状態で吸気口２０４から吸気される。吸気された空気は、排気経路Ｙを経て、外部排気口２０２から外部へ排出される。排気経路Ｙは、金属粉やゴミなどをフィルタ２０８で集塵させる。
【００１７】
図３に示す集塵装置１００は、集塵容器１１０と、カップカバーユニット１２０と、内筒ユニット１３０とを備える。集塵容器１１０は、筒形の容器本体１１１と、底蓋１１２とを有する。
【００１８】
容器本体１１１は、第１集塵室１１１Ａと、第２集塵室１１１Ｂとに区分されている。第１集塵室１１１Ａには後述の内筒ユニット１３０が配置されて第１遠心分離部が構成される。第２集塵室１１１Ｂにはカップカバーユニット１２０における第２遠心分離ユニット１２１の複数の小型遠心分離体１２１ｂ1からなる第２遠心分離体が配置される。
【００１９】
各第２集塵室１１１Ｂの内側壁は、第１集塵室１１１Ａの外周面を含むように構成されている。
また、容器本体１１１では、外周壁に流入口１１３（図２）が設けられており、吸込口体から吸引された塵埃を含む空気が流入口１１３を通って第１集塵室１１１Ａ内に流入する。
また、容器本体１１１には、底蓋１１２と密着する外側シール部材１１４が設けられている。
【００２０】
底蓋１１２の内面には、内側シール部材１１５が設けられている。
底蓋１１２は、内側シール部材１１５に隆起部１１２ａが設けられ、リンクピン１１６が取り付けられている。
【００２１】
図３に示す隆起部１１２ａ内に外鍔１１６ａを有するリンクピン１１６の基端が収納されており、リンクピン１１６の先端は隆起部１１２ａの外部に露出している。
また、隆起部１１２ａには、孔部１１２ａ1が形成されており、突出部２０６（図２）が挿入できる。
【００２２】
底蓋１１２は、容器本体１１１に枢着されている。容器本体１１１には下部ロック部が設けられ、容器本体１１１には係止部が設けられており、下部ロック部が係止することにより容器本体１１１の底蓋１１２が閉鎖できる。
【００２３】
図３に示すカップカバーユニット１２０は、集塵容器１１０の上方開口部１１１ａに嵌め込まれる第２遠心分離ユニット１２１と、第２遠心分離ユニット１２１を覆う上部カバー１２２とを有する。
第２遠心分離ユニット１２１は、集塵容器１１０の上方開口部の蓋部と、小型遠心分離体１２１ｂ1とを有する。
【００２４】
蓋部は、中空体で、容器本体１１１の上方開口部に対応する形状に形成を有する。
この蓋部には上部カバー１２２の外周部に係止するロック部と、蓋体１２１ａの周囲壁１２１ａｚのロック部１２１Ｒと反対側で蓋部と上部カバー１２２とを揺動可能に連結する枢着部が設けられている。
【００２５】
また、蓋部には、容器本体１１１の外側シール部材１２３と、下壁部１２２ａと密着可能な上部シール部材１２５が設けられている。
蓋部には流通孔が形成され、流通孔の周囲には内側シール部材１２４が設けられている。
【００２６】
また、カップカバーユニット１２０の下面には、上部係止溝が設けられ、内筒ユニット１３０には回り止め用のストッパ凸部が設けられている。
【００２７】
蓋部には、第２遠心分離ユニット１２１と連通する８個の流出部１２１ａ2が蓋部から上下方向に形成されている。
第２遠心分離ユニット１２１は、各流出部１２１ａ2を包囲する長筒形の小型遠心分離体１２１ｂ1と、小型遠心分離体１２１ｂ1を一体状に連結する連結壁部と、各小型遠心分離体１２１ｂ1の流出部の近傍に設けられた流入孔とを有する。
【００２８】
各小型遠心分離体１２１ｂ1の下端開口部１２１ｂ11は連結壁部の下面で開口している。第２遠心分離ユニット１２１は円弧形に形成されている。また、各第２遠心分離ユニット１２１には４個の小型遠心分離体１２１ｂ1がそれぞれ併設され、各小型遠心分離体１２１ｂ1の位置に流出部１２１ａ2が配置されている。
【００２９】
この第２遠心分離ユニット１２１では、内筒ユニット１３０から流通孔１２１ａ1に流入した微細な塵埃を含む空気は、複数の流入孔１２１ｂ3を通って各小型遠心分離体１２１ｂ1内に流入し、各小型遠心分離体１２１ｂ1内で微細な塵埃が空気から遠心分離されて集塵容器１１０の第２集塵室１１１Ｂ内へ落下し、微細な塵埃が除去された空気は各流出部１２１ａ2内を通ってカップカバーユニット１２０内へ流出する。
【００３０】
図２と図３に示すように、上部カバー１２２は、第２遠心分離ユニット１２１を覆う下壁部１２２ａと、下壁部１２２ａを覆う中間壁部１２２ｂと、中間壁部１２２ｂを覆う上壁部１２２ｃと、上壁部１２２ｃの前部に上下揺動可能に枢着されたロック解除ハンドル１２２ｄと、上壁部１２２ｃと中間壁部１２２ｂとの間に設けられてロック解除ハンドル１２２ｄと連動するロック機構部１２２ｅとを有する。
上部カバー１２２において、下壁部１２２ａと第２遠心分離ユニット１２１との間は通風路となっており、下壁部１２２ａの後部は開放して前記排出口１３４となっている。
【００３１】
ロック機構部１２２ｅは、係止爪１２２ｅ1と、リンク部１２２ｅ2と、付勢部材１２２ｅ3とを有する。
ロック機構部１２２ｅは、駆動装置２００から集塵装置１００を取り出す際にロック解除ハンドル１２２ｄを引き上げることにより、リンク部１２２ｅ2と共に付勢部材１２２ｅ3および係止爪１２２ｅ1が前方へ引っ張られ、係止爪１２２ｅ1が係止凹部から離脱するように構成されている。
【００３２】
図２と図３に示すように、内筒ユニット１３０は、内筒部１３１と、圧縮機構部１３２とを有する。圧縮機構部１３２は、弾性部材１３２ｂと、仕切り部１３２ｃとを有する。
【００３３】
このような構成において、電動送風機２０３が作動すると、図示しない吸込口体から吸気された空気は吸可撓性ホースが接続された接続部２０１を介して掃除機本体１に流入する。
【００３４】
集塵装置１００の流入口１１３に流入した塵埃含有空気は、図２中の矢印で示す分離経路Ｘを経由して、カップカバーユニット１２０を通過し、集塵装置１００から駆動装置２００の電動送風機２０３へ吸引される。
【００３５】
集塵装置１００では、圧縮部１３２ａの上部が第１遠心分離部Ｓ1（サイクロン部）として作用する。すなわち、集塵装置１００において、第１遠心分離部Ｓ1は、集塵容器１１０における第１集塵室１１１Ａの内側面および内筒部１３１の外周面等によって構成された旋回風路である。そして、流入口１１３は、第１遠心分離部Ｓ1が構成する旋回風路の接線方向に開口している。それゆえ、流入口１１３を介して流入した塵埃含有空気は、図２の分離経路Ｘのように、第１遠心分離部Ｓ1が構成する旋回風路を旋回することによって、該塵埃含有空気中の塵埃が遠心分離される。
【００３６】
第１遠心分離部Ｓ1において遠心分離された塵埃のうち、大きい粗塵（第１の塵埃）は、遠心力の作用により、集塵容器１１０の第１集塵室１１１Ａの内側面に沿って落下して、圧縮部１３２ａの下方の集塵スペースＳ（図２）に集積される。
【００３７】
粗塵が分離された空気は、内筒部１３１を通過する（図２の分離経路Ｘ参照）。このとき、第１遠心分離部Ｓ1によって分離されなかった小さい細塵（第２の塵埃）は、空気流とともに、内筒部１３１のスリットおよびメッシュ部材を通過して上昇する。
【００３８】
一方、粗塵は、フィルターとしてのメッシュ部材によって濾過される。内筒部１３１を通過した空気は、カップカバーユニット１２０の第２遠心分離ユニット１２１内へ流入する。図３に示すように、第２遠心分離ユニット１２１において、塵埃含有空気が流入する流入孔は、小型遠心分離体１２１ｂ1と流出部１２１ａ2との間に形成された空気の旋回流路（第２遠心分離部Ｓ2）の接線方向に開口している。それゆえ、流入孔から流入した塵埃含有空気は、小型遠心分離体１２１ｂ1の内周面に沿って旋回する。
【００３９】
第２遠心分離部Ｓ2は、塵埃含有空気の旋回半径が第１遠心分離部Ｓ1での旋回半径よりも小さく、かつ、旋回速度が第１遠心分離部Ｓ1での旋回速度よりも大きくなるように設計されている。これにより、第１遠心分離部Ｓ1を通過した塵埃含有空気について、第１遠心分離部Ｓ1によって分離された粗塵よりも小さい塵埃、すなわち細塵を第２遠心分離部Ｓ2にて分離することができる。それゆえ、第２遠心分離部Ｓ2での空気の旋回によって、塵埃含有空気中の細塵（第２塵埃）は、遠心分離され、小型遠心分離体１２１ｂ1の内周面に沿って落下し、下端開口部１２１ｂ11から第２集塵室１１１Ｂへ入り、最終的に、第２集塵室１１１Ｂ内において底蓋１１２上に溜められる。
【００４０】
そして、細塵（第２塵埃）が分離された空気は、各第２遠心分離部Ｓ2の中央部に設けられた筒状の流出部１２１ａ2を通過して第２遠心分離ユニット１２１と上部カバー１２２との間のスペースへ排出され（図２の分離経路Ｘ参照）、吸気口２０４から駆動装置２００内へ流入する。そして、前記のように排気経路Ｙを通って外部へ排出される。
【００４１】
掃除完了後、集塵容器１１０内のダストの廃棄や清掃などのメンテナンスを行う際、ロック解除ハンドル１２２ｄを持ち上げることにより集塵装置１００を駆動装置２００から取り外すことができる。
【００４２】
そして、集塵装置１００において、カップカバーユニット１２０と内筒ユニット１３０を集塵容器１１０から取り外す。また、カップカバーユニット１２０は、第２遠心分離ユニット１２１と上部カバー１２２とに簡単に分離することができる。
【００４３】
このように、集塵装置１００が、集塵容器１１０、上部カバー１２２、第２遠心分離ユニット１２１などに分離することができるため、以下に述べるクリーニング装置を用いてそれらを個別に効率よく清掃することができる。
【００４４】
〈クリーニング装置の構成〉
図４は実施形態１のクリーニング装置の上面図、図５は図４に示すクリーニング装置の側面図、図６は図５に示すクリーニング装置のギアボックスの縦断面図、図７は図６のＡ−Ａ矢視断面図、図８は図６のＢ−Ｂ矢視断面図である。
【００４５】
これらの図に示すように、クリーニング装置１０は、ギアボックス１２を備え、
ギアボックス１２の天板１２ｂの中央に設けられたボス１２ａに、細長い入力軸１１が天板１２ｂに直交するように挿入され、軸受け２３ａ,２３ｂを介してボス１２ａに軸を中心に回転可能に支持されている。
【００４６】
そして、入力軸１１の上端側（先端側）には、ツマミ１３ａを有する手動ハンドル１３が結合されている。さらに、下端側（基端側）には、第２駆動ギア１７が同軸に固定されると共に、カラー（スペーサ）３４、軸受け２４、第１駆動ギア１９、およびワッシャ３３が順次装着され、入力軸１１の下端に形成された図示しない雄ネジに係合するナット３０によって締結されている。
【００４７】
また、軸受け２４を介して回転軸支持プレート２１が入力軸１１に軸中心に回転可能に支持され、回転軸支持プレート２１は入力軸１１を中心とする同心円上に１２０度の間隔で回転可能に設けられ第１駆動ギア１９と噛み合う３つの遊星ギア２０（図８参照）を備える。
【００４８】
なお、３つの遊星ギア２０はそれぞれ、第１出力軸１４に固定され、第１出力軸１４は軸受け２５を介してワッシャ２８とナット３１によって回転軸支持プレート２１に回転可能に支持されている。
【００４９】
一方、ギアボックス１２の底部にはギアプレート２２が嵌入され、ギアプレート２２は中央に入力軸１１と同心の円形開口２２ａ（図８参照）を有し、円形開口２２ａの内周には遊星ギア２０と噛み合うギアが形成されている。
【００５０】
また、第２駆動ギア１７と噛み合う８つの第２従動ギア１８（図７参照）は第２出力軸１５に固定され、第２出力軸１５は軸受け２６を介してカラー３５とワッシャ２９とナット３２によってギアプレート２２に回転可能に支持されている。また、ギアボックス１２の底部には、底板１６が固定されている。
【００５１】
そして、クリーニング装置１０においては、図５に示すように、ギアボックス１２の底部から突出する第１出力軸１４の各先端に第１回転ブラシ３６のブラシ回転軸３８をブラシ接続部４０を介して接続するとともに、ギアボックス１２の底部から突出する第２出力軸１５の各先端に第２回転ブラシ３７のブラシ回転軸３９をブラシ接続部４１を介して接続している。
【００５２】
従って、図４に示す手動ハンドル１３をギアボックス１２の上から見て時計方向に回転させると、第１回転ブラシ３６は同じく上から見て反時計方向に自転しながら入力軸１１を中心に時計方向に公転し、第２回転ブラシ３７は同じく上から見て反時計方向に回転する。
【００５３】
なお、入力軸１１と第１および第２出力軸１４，１５とは、互いに平行であり、入力軸１１と第２および第１駆動ギア１７，１９との結合など、軸とギア間の結合は、図示しないキーを用いて行われる。また、各ギアおよび各軸受けには、滑り性の良好なフッ素樹脂製のものが好適に用いられる。
【００５４】
また、この実施形態では、第１及び第２回転ブラシ３６，３７として、図１３（ａ）に示すように、ブラシ回転軸から放射状に延びて一様に分布するブラシ材を備えたものを用いている。このブラシ材には、ナイロンなどを使用できる。
【００５５】
また、第１及び第２回転ブラシ３６，３７は、ブラシ接続部４０,４１を用いて第１及び第２出力軸１４,１５にそれぞれ交換可能に取り付けられるので、それらには清掃対象に応じたサイズや特性を有するものを用いることができる。
【００５６】
〈クリーニング装置の操作〉
図９はクリーニング装置１０の使用状況を示す説明図である。
図１に示す掃除機本体１のメンテナンス時において、使用者はまず、図３に示す集塵装置１００から集塵容器１１０の容器本体１１１を取り外す。
【００５７】
次に、図９に示すように、容器本体１１１の第１集塵室１１１Ａと第２集塵室１１１Ｂに、クリーニング装置１０の第１回転ブラシ３６と第２回転ブラシ３７をそれぞれ挿入し、本体容器１１１の上部開口にクリーニング装置１０の下部を嵌着する。
【００５８】
次に、作業者は、ツマミ１３ａを掴んで手動ハンドル１３を入力軸１１の周りに回転させる。それによって、第１回転ブラシ３６と第２回転ブラシ３７がそれぞれ第１集塵室１１１Ａと第２集塵室１１１Ｂの中で回転し、第１集塵室１１１Ａと第２集塵室１１１Ｂの内壁に付着した粉塵が掻き落される。
【００５９】
（実施形態２）
〈クリーニング装置の構成〉
図１０はこの発明の実施形態２のクリーニング装置の図５対応図、図１１は図１０に示すクリーニング装置のギアボックスの図６対応図、図１２は実施形態２のクリーニング装置の使用状況を示す図９対応図である。
【００６０】
この実施形態のクリーニング装置１０ａにおいては、実施形態１のギアボックス１２がギアボックス６２に置換され、ギアボックス６２においては、実施形態１のギアボックス１２の第１出力軸１４、第１駆動ギア１９、遊星ギア２０、回転支持プレート２１、軸受け２５、ワッシャ２８、およびナット３１が除去され、さらに実施形態１のギアボックス１２のギアプレート２２がギアプレート７２に、底板１６が底板６６にそれぞれ置換されている。
つまり、この実施形態は、第１実施形態から第１回転ブラシ３６とその駆動機構を除去したものである。
【００６１】
〈クリーニング装置の操作〉
図１２はクリーニング装置１０ａの使用状況を示す説明図である。
図１に示す掃除機本体１のメンテナンス時において、使用者はまず、図３に示す集塵装置１００から第２遠心分離ユニット１２１を取り外す。
【００６２】
次に、図１２に示すように、第２遠心分離ユニット１２１の小型遠心分離体１２１ｂ1の内部に第２回転ブラシ３７を挿入する。
次に、作業者は、ツマミ１３ａを掴んで手動ハンドル１３を入力軸１１の周りに回転させる。それによって、第２回転ブラシ３７が小型遠心分離体１２１ｂ1の中で回転し、小型遠心分離体１２１ｂの内壁に付着した粉塵が掻き落される。
【００６３】
（実施形態３）
図１３（ｂ）は、実施形態３としての回転ブラシの斜視図である。この回転ブラシＴは図５の第１及び第２回転ブラシ３６,３７に対応し、同図のブラシ回転軸３８,３９に対応する回転軸Ｕと、ブラシ接続部４０,４１に対応する接続部Ｖと、回転軸Ｕから放射状に延びるブラシ材Ｗとを備え、ブラシ材Ｗが図１３（ｂ）に示すように回転軸Ｕを中心にらせん状に配列されている。
【００６４】
この実施形態によれば、回転ブラシＴを接続部Ｖの側から見て時計方向に回転させることにより、粉塵をブラシ材Ｗのらせん状配列に沿って先端方向（接続部Ｖと逆方向）に移動させながら掻き落すことができる。
【符号の説明】
【００６５】
１０，１０ａ  クリーニング装置、  １１  入力軸、  １２，６２  ギアボックス、  １２ａ  ボス、  １２ｂ  天板、  １３  手動ハンドル、  １３ａ  ツマミ、  １４  第１出力軸、  １５  第２出力軸、  １６，６６  底板、  １７  第２駆動ギア、  １８  第２従動ギア、  １９  第１駆動ギア、  ２０  遊星ギア、  ２１  回転軸支持プレート、  ２２，７２  ギアプレート、  ２２ａ  円形開口、  ２３ａ,２３ｂ,２４〜２６  軸受け、  ２７〜２９、３３  ワッシャ、  ３０〜３２  ナット、  ３４，３５  カラー、  ３６  第１回転ブラシ、  ３７  第２回転ブラシ、  ３８,３９  ブラシ回転軸、  ４０，４１  ブラシ接続部、  １１１  容器本体、  １１１Ａ  第１集塵室、  １１１Ｂ  第２集塵室、  １２１  第２遠心分離ユニット
【図１】
2018050770.tif 000003
【図２】
2018050770.tif 000004
【図３】
2018050770.tif 000005
【図４】
2018050770.tif 000006
【図５】
2018050770.tif 000007
【図６】
2018050770.tif 000008
【図７】
2018050770.tif 000009
【図８】
2018050770.tif 000010
【図９】
2018050770.tif 000011
【図１０】
2018050770.tif 000012
【図１１】
2018050770.tif 000013
【図１２】
2018050770.tif 000014
【図１３】
2018050770.tif 000015